(57)【要約】【課題】バス空間とトイレ空間をそれぞれ別個に設け、且つそれ以外の空間を無駄のない長方形の空間として、居室のスペースを有効に活用する。【解決手段】集合型宿泊施設において、隣り合うふたつの居室１・１の境界側に、ふたつのバス空間５を、居室の奥行き方向に並べて配置する。そのバス空間５へは、別々の居室１側から出入り可能とする。ふたつのバス空間５・５が奥行き方向に並ぶことにより、居室１内の他の空間が無駄のないほぼ方形の形状となる。境界側にふたつのトイレ空間１０・１０を並べた場合は、これと向き合わせてバス空間５を設ける。それ以外の寝台空間１２等が、ほぼ方形の無駄の生じない形状となる。【選択図】図１
0003137478.tif 000002
【実用新案登録請求の範囲】
【請求項１】
多数個の居室空間を有する集合型宿泊施設において、
隣り合うふたつの居室の境界側に、ふたつのバス空間を、居室の奥行き方向に並べて配置し、
その並べたバス空間へは、隣り合わせたふたつの居室のいずれかから別々に出入り可能とし、
トイレ空間を、隣り合わせた居室の境界側とは反対側の壁側に設けてなる
バス空間とトイレ空間を別個に備えた集合型宿泊施設の居室。
【請求項２】
多数個の居室空間を有する集合型宿泊施設において、
隣り合うふたつの居室の境界側に、ふたつのトイレ空間を居室の奥行き方向に並べて配置し、
その並べたふたつのトイレ空間へは、隣り合わせたふたつの居室のいずれかから別々に出入り可能とし、
前記したふたつのトイレ空間に向き合わせて、居室への出入り口を挟んで居室の巾方向の反対側の壁側に、それぞれバス空間を別個に設けてなる
バス空間とトイレ空間を別個に備えた集合型宿泊施設の居室。
【請求項３】
バス空間とトイレ空間以外の空間には寝台空間を設け、
当該寝台空間には複数台のベッドを配置したことを特徴とする
請求項２記載のバス空間とトイレ空間を別個に備えた集合型宿泊施設の居室。
【考案の詳細な説明】
【技術分野】
【０００１】
本考案は、ホテルや寮などとして使用する集合型宿泊施設に関するもので、特に各居室がバスとトイレを別個に備えている集合型宿泊施設の居室に関するものである。
【背景技術】
【０００２】
ホテルや寮などとして使用される宿泊施設は、それぞれの居室が、個別のプライバシー空間として使用されるものである。
従って、各居室が個別にトイレやバスを有することが望ましい。
しかしながら、宿泊者を多くするには、出来るだけ各部屋が占める面積を小さくして、多数の居室を、ひとつのフロアに設けることが望まれる。
その手段として、トイレ空間とバス空間を一つにしたユニット形式のバスを使用することが広く採用されている。
このようにバスとトイレを一つの共用空間の中に設けることで、出来る限りその他の空間を大きく取ることが可能となるものである。
【０００３】
しかしながら、このようなバス空間とトイレ空間が一つとなったユニット形式のバスでは、バスタブもトイレも標準よりも小さ目のものが使用されており、ゆったりとした姿勢で入浴や洗面などが行えないという不満があった。
他方、宿泊者の中には、バスとトイレが同じ空間にあるというのには、衛生面でどうにも馴染めない人もいる。
出来れば、バスとトイレは別のスペースに配置して、バスからはトイレが、トイレからバスが見えないようにすることが望ましい。
しかしながら、トイレとバスを別々の空間にすると、部屋の空間をそれだけ広く占めてしまうもので、寝室や簡易の執務室などとしての空間が大きく取れないという課題となっていた。
寝室としての空間を大きく取れないということは、所謂ツインなどと呼ばれる複数個の寝台をひとつの居室内に設けることを、非常に困難にしていた。
【特許文献１】実開平６−８２３０４号公報
【考案の開示】
【考案が解決しようとする課題】
【０００４】
解決しようとする課題は、出来る限り小さな居室でありながら、バス空間とトイレ空間を別個に備え、それぞれの空間を充分確保することである。
【課題を解決するための手段】
【０００５】
この考案にかかるバス空間とトイレ空間を別個に備える集合型宿泊施設の居室は、
多数個の居室空間を有する集合型宿泊施設において、
隣り合うふたつの居室の境界側に、ふたつのバス空間を、居室の奥行き方向に並べて配置し、
その並べたバス空間へは、隣り合わせたふたつの居室のいずれかから別々に出入り可能とし、
トイレ空間を、隣り合わせた居室の境界側とは反対側の壁側に設けるものである。
また、他のバス空間とトイレ空間を別個に備える集合型宿泊施設の居室は、
多数個の居室空間を有する集合型宿泊施設において、
隣り合うふたつの居室の境界側に、ふたつのトイレ空間を居室の奥行き方向に並べて配置し、
その並べたふたつのトイレ空間へは、隣り合わせたふたつの居室のいずれかから別々に出入り可能とし、
前記したふたつのトイレ空間に向き合わせて、居室の出入り口を挟んで居室の巾方向の反対側の壁側に、それぞれバス空間を別個に設けるものである。
前記集合型宿泊施設において、バス空間とトイレ空間以外の寝台空間には、ベッドを複数台配置するものである。
【考案の効果】
【０００６】
この考案は以上のような構成を有するため、以下の効果を得ることが可能である。
＜ａ＞バス空間を、隣り合うふたつの居室の境界側に、居室の奥行き方向にふたつ並べて配置し、その並べたバス空間へは、隣り合わせたふたつの居室のいずれかから別々に出入り可能にした。
従って、境界側に設けたふたつのバス空間を並べて、居室の他の空間は無駄の出ないほぼ方形の空間とすることができ、空間を効率的に使用可能となり、出来る限り狭い空間を有効に活用できることになる。
＜ｂ＞バス空間とトイレ空間を別個にして居室の中に設けたため、衛生的にも、感覚的にも、心地良い滞在空間となる。
＜ｃ＞バス空間とトイレ空間を別個に設けたため、バスタブや便器も比較的大きなサイズを使用でき、入浴、洗面、排便時の使用において、ゆとりのある空間となる。
＜ｄ＞入浴中にトイレ便器が視覚に入ることがないので、快適な入浴が可能となる。
＜ｅ＞ふたつのトイレ空間を、隣り合うふたつの居室の境界側に並べて配置し、各居室のバス空間を、居室の巾方向の反対側の壁側に設けた相対させたため、バス空間とトイレ空間以外の寝台空間として、ほぼ四角形の効率的な空間が確保されることになる。
従って、その寝台空間に複数台の寝台も収容可能となる。
【実施例１】
【０００７】
＜１＞集合型構造
図１に示すのは、集合型宿泊施設の隣り合うふたつの居室１・１を示すものである。
居室１は、共有空間の廊下から出入りするドア２から入室し、建物屋外に向って設けた窓３が一番奥となる。
【０００８】
＜２＞仕切り
隣り合う居室１・１の、境界側、すなわちふたつの居室１・１を仕切る側には、仕切り壁４によって、バス空間５・５が設けられている。
バス空間５・５は、居室１・１の奥行き方向、つまりは居室１のドア２側から部屋奥の窓３方向に、並べて設けられている。
仕切り壁３は、図１の平面図では、Ｓ字形状に形成されており、隣り合うふたつの居室１・１から、それぞれ別のバス空間５へ出入り可能である。
ふたつのバス空間５・５が、居室１・１の境界側において、奥行き方向のほぼ全長に並んだため、境界側から居室１・１内へ出っ張りが生じず、その他の空間を使い易い四角形の空間とすることが出来る。
このことにより、無駄となるスペースを極力排除でき、狭い空間の有効活用が可能となる。
【０００９】
＜３＞バス空間
バス空間５には、それぞれ個別にバスタブ６と洗面台７が設置されている。
洗面台７は人口大理石カウンター上に取り付けられている。
バスタブ６は、その長手方向が、居室１の幅方向となるように設置し、すなわち最も部屋奥側の一番幅が大きな部分に、バスタブ６が収まることになる。
実施の形態では、１３５０ｍｍ以上の長さのバスタブ６が収納できた。
バス空間５の開口部には、それぞれ強化ガラス製のドア８が設けられており、室内空間をより広く見せる工夫がなされている。
【００１０】
＜４＞クローゼット
仕切り壁３によって形成されたふたつのバス空間５・５よりも更に出入り口側には、クローゼット空間９が設けられている。
クローゼット空間９は、ふたつの隣り合う居室１・１から衣服の出し入れが可能なように壁で仕切られ、背中合わせに設けられている。
【００１１】
＜５＞トイレ空間
隣り合うふたつの居室１・１の境界側と反対側、つまりは居室１の巾方向の反対側の壁１７側には、ドア２に近接して、トイレ空間１０がそれぞれ設けられている。
トイレ空間１０内には、便器１１が設置されている。
トイレ空間１０には、ドア１６を開けて出入りする。
【００１２】
＜６＞寝台空間
居室１内のバス空間５とトイレ空間１０以外の空間には、寝台空間１２が設けられる。
前記したように、ふたつの居室１・１の境界側にふたつのバス空間５・５が収められたため、寝台空間１２は、ほぼ四角形の使い易い空間となって、有効活用できることになり、実施例では１１・５５ｍ2の空間に、前記したバス空間５とトイレ空間１０とクローゼット空間９、それ以外の寝台空間１２や通路空間、執務空間を確保可能となった。
実施例では、その寝台空間１２の中に、幅１２００ｍｍ、長さ２０００mmのベッド１３が収容出来た。
【００１３】
＜７＞執務空間
居室１の室外側の窓６の下には、カウンター１４を設置した。
このカウンター１４に向って椅子１５などを配置する。
このカウンター１４に近い通路空間は、仕事や学習のための執務空間としても兼用されることになる。
【実施例２】
【００１４】
＜８＞配置
図３及び図４に示すのは、寝台空間１２をより大きく取った集合型宿泊施設の居室１の配置を示すものである。
隣り合うふたつの居室１・１は、その境界側のドア２近くに、トイレ空間１０・１０が部屋の奥行き方向に、ふたつ並んで設けられている。
【００１５】
＜９＞トイレ空間
前記したトイレ空間１０・１０は、居室１・１を仕切る仕切り壁４の、ドア２近傍部分が平面図でＳ字形状に形成されている。
Ｓ字形状に仕切られているため、トイレ空間１０・１０には、隣り合う居室１・１のいずれか側にその開口部が開口して、そこから出入り可能となっている。
【００１６】
＜１０＞バス空間
バス空間５は、隣り合う居室１・１の境界側とは反対側の壁側に設けられている。
つまりは、バス空間５は、居室１のドア２側であって、そのドア２を挟んで、ふたつ並ぶトイレ空間１０・１０と相対して向き合っていることになる。
【００１７】
＜１１＞寝台空間
前記したように、居室１のバス空間５は、居室１への出入り口であるドア２を挟んで、奥行き方向にふたつ並んだトイレ空間１０・１０と相対して向き合っている。
トイレ空間１０は、便器１１のみを収納し、バス空間５はバスタブ６と洗面台７を収納するため、ふたつのトイレ空間１０・１０の奥行き方向の長さと、バス空間５の奥行き方向の長さとが、ほぼ同じ程度の長さとなる。
つまりは、ドア２を挟んで、左右の壁側に、トイレ空間１０・１０とバス空間５が向き合って居室１の奥行き方向に出っ張ることになる。
そうして、バス空間５とトイレ空間１０以外の窓３側の空間を、寝台空間１２とすることで、その寝台空間１２はほぼ長方形の無駄なスペースの生じ難い空間として利用できる。
実施例では、１５．５２ｍ2の居室１空間の中に、ドア２側にバス空間６とトイレ空間５を設けて、それらよりも窓３側の長方形空間を寝台空間１２として、ベッド１３を二台収容可能となった。
【００１８】
＜１２＞その他
隣り合うふたつの居室１・１の、境界側とは反対側の壁１７側には、カウンター１４が設置されて、執務空間として利用する。
【図面の簡単な説明】
【００１９】
【図１】寝台一台を収容した居室の平面図である。
【図２】図１の実施例の居室の概観図である。
【図３】寝台二台を収容した居室の平面図である。
【図４】図３の実施例の居室の概観図である。
【００２０】
１：居室
２：ドア
３：窓
４：仕切り壁
５：バス空間
６：バスタブ
７：洗面台
８：ドア
９：クローゼット
１０：トイレ空間
１１：便器
１２：寝台空間
１３：ベッド
１４：カウンター
１５：椅子
１６：ドア
【図１】
0003137478.tif 000003
【図２】
0003137478.tif 000004
【図３】
0003137478.tif 000005
【図４】
0003137478.tif 000006